(57)【要約】【課題】  表示品位が低下することがなく、且つ、防水性能を維持することができる表示装置を提供するものである。【解決手段】  表示パネル１０は、画像を表示する。保護パネル部材２０は、画像を透視可能である。環状のパッキン５０は、保護パネル部材２０の縁部に設けられる。ケース体３０は、表示パネル１０を収納する。表示パネル１０は、透光性接着剤１５にて保護パネル部材２０に接着されている。ケース体３０は、樹脂からなり、パッキン５０を押圧する上ケース３１と下ケース３２とを有する。上ケース３１は、保護パネル部材２０に接していない。上ケース３１は、下ケース３２に当接する当接部３１ｄを有する。下ケース３２は、タッピングネジ３５によって上ケース３１に固定されている。【選択図】  図２
2015191193.tif 000002
【特許請求の範囲】
【請求項１】
画像を表示する表示パネルと、前記画像を透視可能である保護パネル部材と、前記保護パネル部材の縁部に設けられた環状のパッキンと、前記表示パネルを収納するケース体と、を備え、前記表示パネルが透光性接着剤にて前記保護パネル部材に接着されている表示装置であって、
前記ケース体は、樹脂からなり、前記パッキンを押圧する上ケースと下ケースとを有し、
前記下ケースは、前記上ケースにビス止めされる表示装置において、
前記保護パネル部材は、前記上ケースと前記下ケースとの間でパッキンと接触することを特徴とする表示装置。
【請求項２】
前記保護パネル部材は、タッチパネル式であることを特徴とする請求項１に記載の表示装置。
【請求項３】
前記パッキンは、前記表示パネルから延設される可撓性接続部材が貫通する貫通孔を有することを特徴とする請求項１に記載の表示装置。
【請求項４】
前記貫通孔は、前記接続部材とほぼ同じ長さに切り欠かれた切り欠き部であることを特徴とする請求項３に記載の表示装置。
【発明の詳細な説明】
【技術分野】
【０００１】
本発明は、画像を表示する表示パネルを備えた表示装置に関するものである。
【背景技術】
【０００２】
従来の表示装置として、例えば、特許文献１に開示されているものがある。特許文献１に係る表示装置は、透明カバープレートと液晶表示装置との間の空気層が光硬化型接着剤で満たされる構造とすることで、空気層界面での反射を極力減らすことができ、表示品位を良好に保つことが可能となる。
【先行技術文献】
【特許文献】
【０００３】
【特許文献１】特開２００９−２５８３３号公報
【発明の概要】
【発明が解決しようとする課題】
【０００４】
しかしながら、特許文献１のように、カバープレートと表示器とを光硬化型接着剤で接着した構造の表示装置において、使用態様によっては防水性を考慮しなければならない。例えば、このような表示装置が屋外用途の場合は、特に、表示側からの防水性を高める必要がある。
【０００５】
本発明は、上記実情に鑑みてなされたものであり、表示側からの防水性が良好な表示装置を提供することを目的とする。
【課題を解決するための手段】
【０００６】
本発明は、画像を表示する表示パネルと、前記画像を透視可能である保護パネル部材と、前記保護パネル部材の縁部に設けられた環状のパッキンと、前記表示パネルを収納するケース体と、を備え、前記表示パネルが透光性接着剤にて前記保護パネル部材に接着されている表示装置であって、前記ケース体は、樹脂からなり、前記パッキンを押圧する上ケースと下ケースとを有し、前記下ケースは、前記上ケースにビス止めされる表示装置において、前記保護パネル部材は、前記上ケースと前記下ケースとの間でパッキンと接触するものである。
【０００７】
前記保護パネル部材は、タッチパネル式であるものである。
【０００８】
また、本発明は、前記パッキンは、前記表示パネルから延設される可撓性接続部材が貫通する貫通孔を有するものである。
【０００９】
また、本発明は、前記貫通孔は、前記接続部材とほぼ同じ長さに切り欠かれた切り欠き部であるものである。
【発明の効果】
【００１０】
表示品位が低下することがなく、且つ、防水性能を維持することができる。
【図面の簡単な説明】
【００１１】
【図１】本発明の第一実施形態を示す正面図。
【図２】同上実施形態を示すＡ−Ａ断面図。
【図３】同上実施形態を示すＢ−Ｂ断面図。
【図４】同上実施形態を示す要部拡大断面図。
【図５】本発明の第二実施形態を示すＡ−Ａ断面図。
【図６】同上実施形態を示すＢ−Ｂ断面図。
【図７】同上実施形態を示す要部拡大断面図。
【図８】同上実施形態を示す要部拡大断面図。
【発明を実施するための形態】
【００１２】
以下、添付図面に基づいて、本発明の一実施形態を説明する。図１乃至図４は、第一実施形態を示すものである。車両用表示装置は、液晶表示パネル１０，カバープレート２０，ケース体３０，回路基板４０，パッキン５０を備えている。
【００１３】
液晶表示パネル１０は、ＴＦＴ型カラー液晶モジュールからなるものであり、車両速度等の車両情報を表示する。液晶表示パネル１０は、マルチドットやセグメントタイプのものであっても良く、単色表示やフルカラー表示は問わない。また、表示パネルはＥＬモジュールであっても良い。液晶表示パネル１０は、透光性接着剤１５にてオプティカルボンディングされており、カバープレート２０の後面に密着されている。透光性接着剤１５は、光硬化型の接着剤である。
【００１４】
カバープレート２０は、平板形状の透明な基板２１の後面に黒色印刷層からなる遮光部２２を形成したものであり、正面視で矩形になっている。カバープレート２０の基板２１は、無機ガラスからなるものであっても良いし、アクリル等の有機ガラスからなるものであっても良い。カバープレート２０の遮光部２２は、液晶表示パネル１０の画像を透視可能にする矩形の窓部２２ａを有している。
基板２１の表面には、タッチパネル２３が形成されている。
【００１５】
タッチパネル２３は、抵抗膜式タッチパネルか、または静電容量式タッチパネルからなる。タッチパネル２３は、可撓性接続部材１１であるＦＰＣなどにより、回路基板４０と接続され、操作入力に応じて出力情報が送信される。抵抗膜式タッチパネルでは、屋外での使用を考慮し表面からの水分の浸透がなく耐久性が高いガラスーガラスタイプが望ましい。また、静電容量式タッチパネルでは、ガラスセンサタイプや、ガラスフィルムセンサタイプなどの耐久性を考慮したタイプが望ましい。
【００１６】
ケース体３０は、ＡＥＳ，ＡＢＳ，ＰＰ等の樹脂からなるものであり、上ケース３１及び下ケース３２を有している。ケース体３０には、液晶表示パネル１０，回路基板４０が収容されている。ケース体３０の上ケース３１は、液晶表示パネル１０に略平行な前壁部３１ａと、この前壁部３１ａの外縁から垂直に形成された周壁部３１ｂと、前壁部３１ａの内縁に設けられた隠蔽部３１ｃと、下ケース３２に当接するボス部３１ｄと、を有している。上ケース３１のボス部３１ｄは、略円柱形状になっており、タッピングネジ３５が挿入される下穴３１を有している。
【００１７】
上ケース３１の隠蔽部３１ｃは、パッキン５０が視認され難いように隠蔽するものである。上ケース３１の隠蔽部３１ｃは、前壁部３１ａの後面よりもカバープレート２０に向かって突出した突出部３１ｇを有している。隠蔽部３１ｃの前面は、傾斜面になっている。
【００１８】
ケース体３０の下ケース３２は、液晶表示パネル１０に略平行な底壁部３２ａと、この底壁部３２ａの外縁から垂直に形成された側壁部３２ｂと、この側壁部３２ｂからの前端部から垂直に設けられたフランジ部３２ｃとを有している。下ケース３２のフランジ部３２ｃには、タッピングネジ３５が挿通される下穴３２ｋが形成されている。下ケース３２は、タッピングネジ３５によって上ケース３１に固定されている。下ケース３２は、遮光部２２と接し、カバープレート２０に接していない。
【００１９】
回路基板４０は、ガラスエポキシ樹脂からなる基材に銅箔からなる配線パターンを形成したものである。液晶表示パネル１０は、ＦＰＣなどの可撓性配線部材（図示せず）によって回路基板４０に電気的に接続されている。
【００２０】
パッキン５０は、ＥＰＤＭ，クロロプレンゴム，フッ素ゴム等の防水ゴムからなるものである。パッキン５０は、正面視で環状になっており、カバープレート２０の縁部に設けられている。第１実施形態では、パッキン５０は、断面がコ字状になっており、カバープレート２０の前面に当接する前面部５１と、カバープレート２０の後面に当接する後面部５２と、カバープレート２０の周端面に当接する側面部５３とを有している。側面部５３には、可撓性配線部材１１が貫通する貫通孔１１ａが形成されている。貫通孔１１ａは、可撓性配線部材１１が引き出されるように形成されていればよく、例えば可撓性配線部材１１とほぼ同じ長さに切り欠かれた切り欠き部であってもよい。
【００２１】
タッピングネジ２５によって下ケース３２を上ケース３１に固定する際に、上ケース４１の前壁部３１ａがパッキン５０の前面部５１に当接し、下ケース３２のフランジ部３２ｃがパッキン５０の後面部５２に当接し、パッキン５０が上ケース３１と下ケース３１とによって押圧される。
【００２２】
このような実施形態によれば、液晶表示パネル１０に歪が生じて表示品位が低下することがなく、振動が大きく屋外で長期に渡って使用する表示装置であっても、耐振性が高く長期間に渡って防水性能を維持することができる。
【００２３】
図５乃至図８を用いて第２実施形態を説明する。同一の部材には同一の符号を付し、その説明は省略する。図１は、第２実施形態の正面図も表すことにする。
【００２４】
ケース体３０は、ＡＥＳ，ＡＢＳ，ＰＰ等の樹脂からなるものであり、上ケース３１及び下ケース３２を有している。ケース体３０には、液晶表示パネル１０，回路基板４０が収容されている。ケース体３０の上ケース３１は、液晶表示パネル１０に略平行な前壁部３１ａと、この前壁部３１ａの外縁から垂直に形成された周壁部３１ｂと、前壁部３１ａの内縁に設けられた隠蔽部３１ｃと、下ケース３２に当接するボス部３１ｄと、パッキン５０ｂをフランジ部３２ｃに押しつける押圧部３１ｅと、パッキン５０ａが当接する当接部３１ｆと、を有している。上ケース３１のボス部３１ｄは、略円柱形状になっており、タッピングネジ３５が挿入される下穴３１を有している。当接部３１ｆは、パッキン５０ａが嵌る大きさとなっており、凹形状であるのが好ましい。
【００２５】
上ケース３１の隠蔽部３１ｃは、パッキン５０が視認され難いように隠蔽するものである。上ケース３１の隠蔽部３１ｃは、前壁部３１ａの後面よりもカバープレート２０に向かって突出した突出部３１ｇを有している。
【００２６】
ケース体３０の下ケース３２は、液晶表示パネル１０に略平行な底壁部３２ａと、この底壁部３２ａの外縁から垂直に形成された側壁部３２ｂと、この側壁部３２ｂからの前端部から垂直に設けられたフランジ部３２ｃとを有している。下ケース３２のフランジ部３２ｃには、タッピングネジ３５が挿通される下穴３２ｋが形成されている。下ケース３２は、タッピングネジ３５によって上ケース３１に固定されている。下ケース３２は、遮光部２２と接し、カバープレート２０に接していない。
【００２７】
第２実施形態では、パッキン５０ａ、５０ｂは、正面視で環状になっており、カバープレート２０の縁部とタッピングネジ３５の外周側との２か所に設けられている。パッキン５０ａは、楕円形状になっており、カバープレート２０の縁部に配置され、当接部３１ｆに押圧される。パッキン５０ｂは、タッピングネジ３５の外周側に上ケース３１の押圧部３１ｅと下ケース３２のフランジ部３２ｃとの間に配置され、押圧部３１ｅに押圧される。パッキン５０の形状は、カバープレート２０の縁部と、上ケース３１と下ケース３２との隙間から水分が侵入しないように、パッキン５０が圧縮されたときに平らになる形状であればよく、例えばＶ字形状であったり、半円形状であってもよい。
【００２８】
このような実施形態によれば、液晶表示パネル１０に歪が生じて表示品位が低下することがなく、振動が大きく屋外で長期に渡って使用する表示装置であっても、耐振性が高く長期間に渡って防水性能を維持することができる。
【符号の説明】
【００２９】
１０    液晶表示パネル（表示パネル）
１５    透光性接着剤
２０    カバープレート（保護パネル部材）
２３    タッチパネル
３０    ケース体
３１    上ケース
３１ｄ  ボス部（当接部）
３２    下ケース
３２ｃ  フランジ部
３５    タッピングネジ（ビス）
５０    パッキン（弾性部材）
【図１】
2015191193.tif 000003
【図２】
2015191193.tif 000004
【図３】
2015191193.tif 000005
【図４】
2015191193.tif 000006
【図５】
2015191193.tif 000007
【図６】
2015191193.tif 000008
【図７】
2015191193.tif 000009
【図８】
2015191193.tif 000010